(57)【要約】【課題】安価で携帯可能な足殺菌装置、履き物、靴下、足置きを提供することである。【解決手段】本足殺菌装置は、携帯型電源部に接続され、電源から供給される電力によって紫外線を発生させる紫外線発生部５１０と、前記紫外線発生部に接続され、紫外線発生部で発生した紫外線を伝搬する光ファイバー５２０を含み、前記光ファイバーが人体の足の指と指の隙間を通るように配置された紫外線放射部とを含み、前記紫外線放射部の前記光ファイバー５２０は、紫外線を通すコアと、コアの周りに皮膜上に形成されたクラッドとを含み、前記クラッドには、コアの一部を露出させ紫外線を外部に放射するための露出部が形成され、露出部から放射される紫外線によって人体の足の指の殺菌消毒を行うことを特徴とする。【選択図】        図１
0003116840.tif 000002
【実用新案登録請求の範囲】
【請求項１】
足殺菌装置であって、
携帯型電源部に接続され、電源から供給される電力によって紫外線を発生させる紫外線発生部と、
前記紫外線発生部に接続され、紫外線発生部で発生した紫外線を伝搬する光ファイバーを含み、前記光ファイバーが人体の足の指と指の隙間を通るように配置された紫外線放射部とを含み、
前記紫外線放射部の前記光ファイバーは、
紫外線を通すコアと、コアの周りに皮膜上に形成されたクラッドとを含み、
前記クラッドには、コアの一部を露出させ紫外線を外部に放射するための露出部が形成され、露出部から放射される紫外線によって人体の足の指の殺菌消毒を行うことを特徴とする足殺菌装置。
【請求項２】
請求項１において、
前記紫外線発生部は、
紫外線発生時間をカウントして予め設定された所定時間に達したか否かを検出するタイマ部と、
タイマ部が所定時間に達したことを検出すると紫外線の発生を停止又は一時停止させる紫外線発生停止処理部とを含むことを特徴とする足殺菌装置。
【請求項３】
請求項１乃至２のいずれかにおいて、
紫外線放射部の前記光ファイバーの露出部は、
人体の足指の想定患部付近に位置する所定の部分に設けられていることを特徴とする足殺菌装置。
【請求項４】
請求項１乃至３のいずれかに記載の足殺菌装置を含む履き物であって、
人によって履かれた状態で足の指と指の隙間に当たると想定される部分を前記光ファイバーが通るように配置されていることを特徴とする履き物。
【請求項５】
請求項１乃至３のいずれかに記載の足殺菌装置を含む靴下であって、
人によって履かれた状態で足の指と指の隙間に当たると想定される部分を前記光ファイバーが通るように配置されていることを特徴とする靴下。
【請求項６】
請求項１乃至３のいずれかに記載の足殺菌装置を含む足置きであって、
人の足が置かれた状態で足の指と指の隙間に当たると想定される部分を前記光ファイバーが通るように配置されていることを特徴とする足置き。
【考案の詳細な説明】
【技術分野】
【０００１】
本考案は、光ファイバーを用いて紫外線を照射して足を殺菌する足殺菌装置、履き物、靴下、足置きに関する。
【背景技術】
【０００２】
水虫やたむし、白雲などは、最も治療困難な病気の一つである。主たる原因である白癬菌は、数々の薬剤にもなかなか死滅せず、やがて耐性を得て再発を繰り返す。そしてこの白癬菌による疾患の根治は人類の永遠の悩みとなっている。
【０００３】
一方で、病院などでは「紫外線」を幹部に当て殺菌する治療法があり、これは有効な治療法の一つである。なぜなら白癬菌も紫外線の発生させる活性酸素には耐性ができないため殺菌されてしまうからである。
【考案の開示】
【考案が解決しようとする課題】
【０００４】
しかし、頻繁に病院で紫外線を患部に当てるのは忙しい生活環境では不可能に近く、紫外線を利用した治療法は確立していない。
【０００５】
自宅で紫外線を利用して殺菌を行う装置等で実用化されているものもあるが、かかる装置はフットバス程度の大きさであるため持ち運びに不便で高額であり、気軽に携帯し、いつでも簡単に殺菌が行える装置ではなかった。
【０００６】
本考案は、上記の課題に鑑みなされたものであり、その目的は安価で携帯可能な足殺菌装置、履き物、靴下、足置きを提供することである。
【課題を解決するための手段】
【０００７】
（１）本考案は、
足殺菌装置であって、
携帯型電源部に接続され、電源から供給される電力によって紫外線を発生させる紫外線発生部と、
前記紫外線発生部に接続され、紫外線発生部で発生した紫外線を伝搬する光ファイバーを含み、前記光ファイバーが人体の足の指と指の隙間を通るように配置された紫外線放射部とを含み、
前記紫外線放射部の前記光ファイバーは、
紫外線を通すコアと、コアの周りに皮膜上に形成されたクラッドとを含み、
前記クラッドには、コアの一部を露出させ紫外線を外部に放射するための露出部が形成され、露出部から放射される紫外線によって人体の足の指の殺菌消毒を行うことを特徴とする。
【０００８】
紫外線発生部は例えば紫外線ランプ等で構成することができる。
【０００９】
発生させる紫外線の波長は、適宜設定することができるが、１８３ｎｍあたりに設定するとオゾンが発生して殺菌効果が増す。なお複数の波長の異なる紫外線を発生させるための光源を設け複数の波長の異なる紫外線を発生させるようにしてもよい。
【００１０】
また光ファイバーは光の屈折率の異なるコアとクラッドで構成される。ここでコアは高い屈折率の領域で指定される光ファイバーの導光部分であり、クラッドはコアの周囲に皮膜状に形成され、コアよりも低い屈折率を有している。
【００１１】
なお光ファイバーは、屈折率がファイバーの半径方向に不連続的に変化して全反射により光を伝えるクラッド型光ファイバー（例えばステップインデックス光ファイバー）でもよいし、屈折率が連続的に変化して屈折により光を伝える収束型光ファイバー）例えばグレーディットインデックス光ファイバー）でもよい。
【００１２】
また光ファイバーの材質は、ガラスでもよいし、プラスティックでもよいし、その他のものでもよい。
【００１３】
ここで光ファイバーは直線のスティック状に形成し、露出部を設ける。
【００１４】
露出部は、１つでもよいし、複数でもよい。また例えば溝状に連続的に形成されていても良いし、不連続に形成されていてもよい。
【００１５】
露出部は、例えば光ファイバーの外周に切り込みを入れたり、傷をつけたり、切り取ったり、穴をあけたり、溝をつけたり、切り込みを入れたりすることで形成可能である。
【００１６】
この場合、クラッド部分のみに切り込みを入れたり、傷をつけたり、切り取ったり、穴をあけたり、溝をつけたりする場合でもよいし、クラッド及びコアの一部に切り込みを入れたり、傷をつけたり、切り取ったり、穴をあけたり、溝をつけたりする場合でもよい。
【００１７】
なお光ファイバーを複数含むようにしてもよい。
【００１８】
複数の光ファイバーを組み合わせることで、より広範囲に必要かつ十分な紫外線を照射することが可能になる。
【００１９】
ここにおいて一つの紫外線発生部で発生させた紫外線を複数の光ファイバーに分配するようにしてもよいし、各光ファイバー毎に対応する紫外線発生部を設けるようにしてもよい。
【００２０】
電源部は、乾電池又は充電バッテリー等の携帯電源を使用することができる。
【００２１】
本考案によれば、クラッドに露出部を設けるという簡易な構成で、露出部から紫外線を放射させ、人体の足の指を殺菌し、水虫の治療を行うことができる。
【００２２】
光ファイバーを利用すると消費電力も極めて少なくて済むので乾電池電源で十分に対応できる。
【００２３】
前記露出部を、前記光ファイバーのクラッドに設けられた１又は複数の穴として形成してもよい。
【００２４】
穴は一つでもよいし、複数設けるようにしてもよい。
【００２５】
ここで１つ又複数の穴は、光ファイバーの光源から最も離れた部分である先端部より、より光源に近い部分に設ける。
【００２６】
また穴の位置や、穴の大きさ、穴の向き、穴の形状、穴の数、穴を配置する間隔は、目的に応じて適宜設定することができる
前記露出部を、前記光ファイバーのクラッドを、外周に沿って所定の幅で所定の長さだけ取りさってコアを露出させた横溝として形成してもよい。
【００２７】
例えばクラッドを、所定の幅で外周に沿って一回り（３６０度）切り取っても良い。このようにすると、光ファイバーの外周に沿って３６０度の方向に紫外線を照射可能である。
【００２８】
また外周に沿って所定の長さ（例えば所定の角度θに対応する外周部分）だけ切り取っても良い。
【００２９】
縦溝は一つでもよいし、複数設けるようにしてもよい。
【００３０】
ここで１つ又複数の縦溝は、光ファイバーの光源から最も離れた部分である先端部より、より光源に近い部分に設ける。
【００３１】
また縦溝の位置や、縦溝の大きさ（縦溝の幅と長さ）、縦溝の形状、縦溝の数、縦溝を配置する間隔は、目的に応じて適宜設定することができる。
【００３２】
前記露出部を、前記光ファイバーのクラッドを、軸方向に沿って所定の幅で所定の長さだけ取りさってコアを露出させた横溝として形成してもよい。
【００３３】
例えばクラッドを、所定の幅で軸方向に沿って端から端まで切り取っても良い。このようにすると、光ファイバーの軸方向に沿って所定の方向に紫外線を照射可能である。
【００３４】
また軸方向に沿って所定の長さだけ切り取っても良い。
【００３５】
横溝は一つでもよいし、複数設けるようにしてもよい。
【００３６】
ここで１つ又複数の横溝は、光ファイバーの光源から最も離れた部分である先端部より、より光源に近い部分に設ける。
【００３７】
また横溝の位置や、横溝の大きさ（横溝の幅と長さ）、横溝の形状、横溝の数、横溝を配置する間隔は、目的に応じて適宜設定することができる。
【００３８】
前記露出部を、前記光ファイバーのクラッドを、外周に沿って所定の幅で所定の長さだけらせん状に取りさってコアを露出させたらせん状の溝として形成してもよい。
【００３９】
このようにすると光ファイバーの周り３６０度方向に紫外線を照射可能である。
【００４０】
らせん状の溝を、光ファイバーの端から端まで設ける場合でもよいし、光ファイバーの一部に設ける場合でもよい。
【００４１】
またらせん状の溝は一つでもよいし、複数設けるようにしてもよい。
【００４２】
ここで１つ又複数のらせん状の溝は、光ファイバーの光源から最も離れた部分である先端部より、より光源に近い部分に設ける。
【００４３】
またらせん状の溝の位置や、らせん状の溝の大きさ（らせん状の溝の幅と長さ）、らせん状の溝の形状、らせん状の溝の数、らせん状の溝を配置する間隔は、目的に応じて適宜設定することができる。
（２）本考案の足殺菌装置は、
前記紫外線発生部は、
紫外線発生時間をカウントして予め設定された所定時間に達したか否かを検出するタイマ部と、
タイマ部が所定時間に達したことを検出すると紫外線の発生を停止又は一時停止させる紫外線発生停止処理部とを含むことを特徴とする。
【００４４】
紫外線発生停止処理部は、例えば電源を切ることによって紫外線の発生を停止させることができる。そしていったん停止させた後は、再び電源スイッチをオンにしないと紫外線が発生しないようにしてもよいし、電源スイッチをオンにしても線所定時間経過しないと電源が入らないようにしてもよい。
【００４５】
また紫外線の発生を一時停止させるとは、いったん停止させたあと、所定時間経過したら再び自動的に紫外線を発生させるような場合をいう。
【００４６】
このようにすると紫外線照射時間を所定時間内に制限することができ、紫外線のあて過ぎを自動的に防止して、ユーザーの安全を確保することができる。
（３）本考案の足殺菌装置は、
紫外線放射部の前記光ファイバーの露出部が、
人体の足指の想定患部付近に位置する所定の部分に設けられていることを特徴とする。
【００４７】
人体の足指の想定患部付近に位置する所定の部分とは、指の水虫部分を通る（接触する）光ファイバーの所定部分という意味である。このようにすると、水虫の患部にのみ紫外線を照射することができる。
（４）本考案は、上記のいずれかに記載の足殺菌装置を含む履き物であって、
人によって履かれた状態で足の指と指の隙間に当たると想定される部分を前記光ファイバーが通るように配置されていることを特徴とする。
【００４８】
ここにおいて履物とは、サンダル、靴、スリッパ等の屋外や屋内問わず人がはくもものである。
【００４９】
このように履物の一部に足殺菌装置を組み込むことにより、日常生活の空いた時間を利用していつでも手軽に水虫の治療が行うことが可能となる。
（５）本考案は、上記のいずれかに記載の足殺菌装置を含む靴下であって、
人によって履かれた状態で足の指と指の隙間に当たると想定される部分を前記光ファイバーが通るように配置されていることを特徴とする。
【００５０】
このように靴下の一部に足殺菌装置を組み込むことにより、日常生活の空いた時間を利用していつでも手軽に水虫の治療が行うことが可能となる。
（６）本考案は、上記のいずれかに記載の足殺菌装置を含む足置きであって、
人の足が置かれた状態で足の指と指の隙間に当たると想定される部分を前記光ファイバーが通るように配置されていることを特徴とする。
【００５１】
足置きとは例えばリフレクソロジー用の足置きや足指ストレッチャー（足の指と指の間をのばす物）等でもよい。
【００５２】
このように足置きの一部に足殺菌装置を組み込むことにより、日常生活の空いた時間を利用していつでも手軽に水虫の治療が行うことが可能となる。
【考案を実施するための最良の形態】
【００５３】
以下、本考案の好適な実施の形態について図面を用いて説明する。
【００５４】
なお、以下に説明する本実施の形態は、実用新案請求の範囲に記載された本考案の内容を何ら限定するものではない。
【００５５】
図１（Ａ）（Ｂ）は、本実施の形態の足殺菌装置について説明するための図である。図１（Ａ）は足の指をつま先方向からみた場合の足殺菌装置と足の指の配置関係を示す図であり、図１（Ｂ）は足の指を横方向からみた場合の足殺菌装置と足の指の配置関係を示す図である。
【００５６】
図２（Ａ）（Ｂ）（Ｃ）は、本実施の形態の足殺菌装置をそれぞれ正面、上、横方向からみた図である。
【００５７】
本実施の形態の足殺菌装置５００は、携帯型電源部（図示せず）に接続され、電源から供給される電力によって紫外線を発生させる光源部（紫外線発生部）５１０と、前記光源部（紫外線発生部）５１０に接続され、光源部（紫外線発生部）５１０で発生した紫外線を伝搬する光ファイバー５２０を含む。前記光ファイバー５２０は人体の足の指６１０−１と指６１０−２の隙間を通るように配置され、紫外線放射部として機能する。
【００５８】
ここで光ファイバー５２０は、後に図１１〜図１５で説明するように紫外線を通すコアと、コアの周りに皮膜上に形成されたクラッドとを含み、前記クラッドには、コアの一部を露出させ紫外線５３０を外部に放射するための露出部が形成されている。
【００５９】
そして光ファイバー５２０の露出部から放射される紫外線５３０によって人体の足の指６００−１、６００−２の殺菌消毒を行うことができるように構成されている。
【００６０】
なお光ファイバー５２０は複数の光ファイバーの集合として構成してもよい。複数の光ファイバーを組み合わせることで、より広範囲に必要かつ十分な紫外線を照射することが可能になる。
【００６１】
光源部（紫外線発生部）５１０は例えば紫外線ランプ等で構成することができる。
【００６２】
また光ファイバー５２０は光の屈折率の異なるコアとクラッドで構成される。ここでコアは高い屈折率の領域で指定される光ファイバーの導光部分であり、クラッドはコアの周囲に皮膜状に形成され、コアよりも低い屈折率を有している。
【００６３】
なお光ファイバー５２０は、屈折率がファイバーの半径方向に不連続的に変化して全反射により光を伝えるクラッド型光ファイバー（例えばステップインデックス光ファイバー）でもよいし、屈折率が連続的に変化して屈折により光を伝える収束型光ファイバー）例えばグレーディットインデックス光ファイバー）でもよい。
【００６４】
また光ファイバーの材質は、ガラスでもよいし、プラスティックでもよいし、その他のものでもよい。
【００６５】
ここで光ファイバーは直線のスティック状に形成し、露出部を設ける。
【００６６】
露出部は、１つでもよいし、複数でもよい。また例えば溝状に連続的に形成されていても良いし、不連続に形成されていてもよい。
【００６７】
露出部は、例えば光ファイバーの外周に切り込みを入れたり、傷をつけたり、切り取ったり、穴をあけたり、溝をつけたり、切り込みを入れたりすることで形成可能である。
【００６８】
この場合、クラッド部分のみに切り込みを入れたり、傷をつけたり、切り取ったり、穴をあけたり、溝をつけたりする場合でもよいし、クラッド及びコアの一部に切り込みを入れたり、傷をつけたり、切り取ったり、穴をあけたり、溝をつけたりする場合でもよい。
【００６９】
図示しない電源部は、乾電池又は充電バッテリー等の携帯電源を使用することができる。
【００７０】
また光源部（紫外線発生部）５１０を、紫外線発生時間をカウントして予め設定された所定時間に達したか否かを検出するタイマ部と、タイマ部が所定時間に達したことを検出すると紫外線の発生を停止又は一時停止させる紫外線発生停止処理部とを含むように構成してもよい。
【００７１】
このようにすると紫外線照射時間を所定時間内に制限することができ、紫外線のあて過ぎを自動的に防止して、ユーザーの安全を確保することができる。
【００７２】
図３（Ａ）（Ｂ）は、本実施の形態の足殺菌装置の光ファイバーの配線の一例について説明するための図である。本例では、人体の足６００の指毎に１本又は１束（複数の光ファイバー）の輪をつくり輪の両端を光源部に接続している。すなわち親指用輪（親指６１０−１を入れるための輪）５２０−１、人差し指用輪（人差し指６１０−２を入れるための輪）５２０−２、中指用輪（中指６１０−３を入れるための輪）５２０−３、薬指用輪（薬指６１０−４を入れるための輪）５２０−４、子指用輪（子指６１０−５を入れるための輪）５２０−５の５個の輪を別個に生成し、各輪の両端を光源部（紫外線発生部）５１０に接続する。
【００７３】
このように各輪の両端が光源部（紫外線発生部）５１０に接続されているとどの指にも均等に紫外線を照射することができる。
【００７４】
また紫外線放射部の前記光ファイバー５２０の露出部は、人体の足指の想定患部（水虫）付近に位置する所定の部分５２２に設けられている。逆に足指のまわりでも水虫の患部になりにくい部分５２４には露出部は設けない。このようにすると、水虫の患部にのみ紫外線を照射することができる。
【００７５】
なお光源部（紫外線発生部）５１０の位置は足６００の指６１０の上にある場合に限られず、用途や使用する物品の形状（例えば履き物等に埋め込む場合には履き物の形状）に応じて適宜設定することができる。
【００７６】
図４（Ａ）（Ｂ）は、本実施の形態の足殺菌装置の光ファイバーの配線の一例について説明するための図である。本例では、人体の足毎に用意された１本又は１束（複数の光ファイバー）の光ファイバー５２０の両端を光源部（紫外線発生部）５１０に接続し、これを交差させて、各指をいれる親指用輪（親指６１０−１を入れるための輪）５２０−１、人差し指用輪（人差し指６１０−２を入れるための輪）５２０−２、中指用輪（中指６１０−３を入れための輪）５２０−３、薬指用輪（薬指６１０−４を入れるための輪）５２０−４、子指用輪（子指６１０−５を入れるための輪）５２０−５の５個の輪を生成する。  しかし本例では５個の輪は連続しており光線に接続されているのは両端の２箇所のみなである。従って光源から離れた指にも十分に光が届くように、露出部から放出される紫外線の割合が均等になるように露出部を設けることが好ましい。例えば露出部を、前記光ファイバーのクラッドに設けられた１又は複数の穴として形成する場合には、穴を配置する密度を光源部（紫外線発生部）５１０からの距離が遠くなるほど密になるようにしたり、穴の大きさを光源部（紫外線発生部）５１０からの距離が遠くなるほど大きくするようにしてもよい。
【００７７】
また紫外線放射部の前記光ファイバー５２０の露出部は、人体の足指の想定患部（水虫）付近に位置する所定の部分５２２に設けられている。逆に足指のまわりでも水虫の患部になりにくい部分５２４には露出部は設けない。このようにすると、水虫の患部にのみ紫外線を照射することができる。
【００７８】
なお光源部の位置は親指の横にある場合に限られず、用途や使用する物品の形状（例えば履き物等に埋め込む場合には履き物の形状）に応じて適宜設定することができる。また光源部（紫外線発生部）５１０は１つに限られず、例えば親指の横と小指の横の両方に光源部を儲け、2本の光ファイバの両端をそれぞれの光源部に接続し、２本の光ファイバを交差させ足指を入れる輪を形成するようにしてもよい。
【００７９】
図５（Ａ）（Ｂ）は、本実施の形態の足殺菌装置の光ファイバーの配線の一例について説明するための図である。本例では、人体の足毎に用意された１本又は１束（複数の光ファイバー）の光ファイバー５２０の両端を光源部（紫外線発生部）５１０に接続し、各指と指の間に上下を繋ぐ光ファイバーを格子上に配線し、各足をいれる親指用輪（親指６２０−１を入れるための輪）５２０−１、人差し指用輪（人差し指６２０−２を入れるための輪）５２０−２、中指用輪（中指６２０−３を入れるための輪）５２０−３、薬指用輪（薬指６２０−４を入れるための輪）５２０−４、子指用輪（子指６２０−５を入れるための輪）５２０−５の５個の輪を生成する。
【００８０】
しかし本例では５個の輪は連続しており光線に接続されているのは両端の２箇所のみなである。従って光源から離れた指にも十分に光が届くように、露出部から放出される紫外線の割合が均等になるように露出部を設けることが好ましい。例えば露出部を、前記光ファイバーのクラッドに設けられた１又は複数の穴として形成する場合には、穴を配置する密度を光源部（紫外線発生部）５１０からの距離が遠くなるほど密になるようにしたり、穴の大きさを光源部（紫外線発生部）５１０からの距離が遠くなるほど大きくするようにしてもよい。
【００８１】
また紫外線放射部の前記光ファイバー５２０の露出部は、人体の足指の想定患部（水虫）付近に位置する所定の部分５２２に設けられている。逆に足指のまわりでも水虫の患部になりにくい部分５２４には露出部は設けない。このようにすると、水虫の患部にのみ紫外線を照射することができる。
【００８２】
なお光源部の位置は親指の横にある場合に限られず、用途や使用する物品の形状（例えば履き物等に埋め込む場合には履き物の形状）に応じて適宜設定することができる。また光源部（紫外線発生部）５１０は１つに限られず、例えば親指の横と小指の横の両方に光源部を儲け、2本の光ファイバの両端をそれぞれの光源部に接続し、２本の光ファイバををつなぐ光ファイバを敗戦して足指を入れる格子を形成するようにしてもよい。
【００８３】
図６は、本実施の形態の履物について説明するための図である。
【００８４】
本実施の形態の履物７００は、本実施の形態の足殺菌装置５００を含む履き物であって、人によって履かれた状態で足６００の指６１０と指６１０の隙間に当たると想定される部分を前記光ファイバー５２０が通るように配置されている。
【００８５】
このように靴の一部に足殺菌装置５００を組み込むことにより、日常生活の空いた時間を利用していつでも水虫の治療が行うことが可能となる。
【００８６】
図７は、本実施の形態の靴下について説明するための図である。
【００８７】
本実施の形態の靴下８００は、本実施の形態の足殺菌装置５００を含む靴下であって、
人によって履かれた状態で足６００の指６１０と指６１０の隙間に当たると想定される部分を前記光ファイバー５２０が通るように配置されている。
【００８８】
このように靴下の一部に足殺菌装置５００を組み込むことにより、日常生活の空いた時間を利用していつでも水虫の治療が行うことが可能となる。
【００８９】
図８は本実施の形態の足殺菌装置を靴底に埋め込む例を示す図である。
【００９０】
例えば製造過程で、本実施の形態の足殺菌装置を靴底に固定的に埋め込むようにしてもよい。また例えば本実施の形態の足殺菌装置を靴底に対して着脱自在に構成し、使用者が使用時に必要に応じて本実施の形態の足殺菌装置を靴底に装着するようにしてもよい。
【００９１】
図９は本実施の形態の足置きについて説明するための図である。
【００９２】
本実施の形態の足置きは、本実施の形態の足殺菌装置５００を含む足置きであって、人の足が置かれた状態で足の指と指の隙間に当たると想定される部分を前記光ファイバーが通るように配置されている。
【００９３】
例えば足置きの台座の形状や材質を、足がおきやすい形状や材質にしてもよい。
【００９４】
このように例えばリフレクソロジー用の足置きや足指ストレッチャー（足の指と指の間をのばす物）等の一部に足殺菌装置５００を組み込むことにより、日常生活の空いた時間を利用していつでも水虫の治療が行うことが可能となる。
【００９５】
図１０（Ａ）（Ｂ）は本実施の形態の光ファイバーの構成について説明するための図である。
【００９６】
図１０（Ａ）に示すように、本実施の形態の足殺菌装置（光ファイバー殺菌消毒装置）１０は、電源部４０に接続され、電源から供給される電力によって紫外線を発生させる紫外線発生部３０と、前記紫外線発生部に接続され、紫外線発生部で発生した紫外線を伝搬する光ファイバー２０とを含む。
【００９７】
ここで前記光ファイバー２０は、紫外線を通すコア（内層）と、コアとは異なる屈折率を有しコアの周りに皮膜上に形成されたクラッド（外層）とを含み、前記クラッドには、コアの一部を露出させ紫外線を外部に漏らすための露出部が形成され、露出部から紫外線がもれるよう構成されている。
【００９８】
さらに電源部４０が供給する電圧電流の可変器を備えれば『紫外線の照射強度』も調節できるようになり、より適切な紫外線の照射を行うことができる。
【００９９】
また光ファイバー２０の材質はガラスでも良いし、プラスティック等でもよい。光ファイバー２０はコア（内層）部分を進む光が、クラッド（外層）の内側で全反射するために遠くまで光が届くという性質を有する。そのためにクラッドに傷ができたり、ファイバー自体が大きく曲がると光が漏れたり、減衰したりで、うまく光を送れない事態が生じる可能性がある。そこで光ファイバーは曲げない状態で（直線の状態で）使用することが好ましい。
【０１００】
本実施の形態では、穴や溝などで光ファイバーのクラッド（外層）からコア（内層）の一部を露出させることで、広範囲に紫外線を照射する事が容易に可能になる。そして『穴の大きさ、数、間隔、位置』、『溝の本数、角度、幅』などを調節することで目的に合った紫外線照射が可能になる。
【０１０１】
一方、光ファイバーの直径は１ｍｍ以下の細いものからその何倍の太いものまで数多くの種類が生産されている。更に光ファイバーの直径の組み合わせにより用途に応じた殺菌消毒が可能になる。
【０１０２】
また  図１０（Ｂ）に示すように、複数の光ファイバーを含むようにしてもよい。このとき１つの紫外線発生部で発生させた光を複数の光ファイバーに分配するようにしてもよいし、複数の紫外線発生部を持たせて、各光ファイバーに対して１体１に対応して紫外線発生部を持たせるようにしてもよい。
【０１０３】
図１１（Ａ）（Ｂ）は、光ファイバーのクラッドに穴をあけて露出部を形成する場合について説明するための図である。
【０１０４】
図１１（Ａ）に示すように、光ファイバー１００のクラッドに穴１１０−１〜１１０−１２をあける。すると図１１（Ｂ）に示すように、クラッド（光ファイバーの外層）１５０にあけられた穴（例えば１３０や１４０）からコア（光ファイバーの内層）１６０の一部が露出し、露出部分から紫外線が放出される。
【０１０５】
また光ファイバー１００のクラッド（外層）１５０にあける穴の形状を工夫することで紫外線を照射できる範囲１２０を調節して、狙った方向に紫外線を照射することができる。例えば、図１１（Ｂ）に示すように、穴の形状を円筒形１４０にしてもよいし、円錐形１３０にしてもよい。また円錐形１３０にする場合には円錐の断面の頂点の周りの角θを大きくすることによって紫外線照射範囲１２０−１を大きくし、角θを小さくすることによって紫外線照射範囲１２０−１を狭くすることができる。
【０１０６】
図１２（Ａ）（Ｂ）は、光ファイバーのクラッドを外周に沿って所定の幅で所定の長さだけ取りさってコアを露出させた横溝として露出部を形成する場合について説明するための図である。
【０１０７】
図１２（Ａ）に示すように、光ファイバー２００のクラッドに光ファイバー２００の軸方向２０２と垂直になるように横溝２１０−１〜２１０−１１を設ける。
【０１０８】
すると図１２（Ｂ）に示すように、光ファイバー２００のクラッド（外層）２５０に設けられた横溝（例えば２３０）からコア（内層）２６０の一部が露出し、露出部分から紫外線が放出される。
【０１０９】
ここで横溝の配置される間隔によって紫外線の紫外線の放出具合を調節することができる。従って殺菌照射の用途に応じて最適な横溝を付けるようにしてもよい。
【０１１０】
また横溝の長さと配置場所によっても紫外線の放出具合を調節することができる。
【０１１１】
例えば、図１２（Ｂ）に示すように、光ファイバーのクラッド（外層）を一周するように横溝２３０をつけてもよい。このようにすると光ファイバーの外周の周り３６０度の方向に紫外線を放出させることができる。
【０１１２】
また横溝としてクラッドの一部を切り取る際の角度θによって溝の周りの紫外線照射範囲を調節することができる。
【０１１３】
図１３は横溝の幅と長さ（角度）と紫外線の照射範囲について説明するための図である。
【０１１４】
例えば、図１３に示すように光ファイバーのクラッド（外層）２５０の一部に横溝２４０をつけてもよい。このようにすると、光ファイバの周りの所定範囲２２０に紫外線を放出させることができる。
【０１１５】
ここにおいて横溝の幅ｌ１と長さｌ２を適宜設定することにより、紫外線の照射範囲を調節することができる。
【０１１６】
図１４（Ａ）〜（Ｄ）は、前記光ファイバーのクラッドを、軸方向に沿って所定の幅で所定の長さだけ取りさってコアを露出させた横溝として露出部を形成する場合について説明するための図である。
【０１１７】
図１４（Ａ）に示すように、光ファイバー３００のクラッドに光ファイバー３０２の軸方向３０２に沿って、所定の幅ｌ３で所定の長さｌ４の縦溝３１０をあける。
【０１１８】
すると図１４（Ｂ）に示すように、光ファイバー３００のクラッド（外層）３５０にあけられた縦溝（例えば３３０）からコア（内層）３６０の一部が露出し、露出部分から紫外線が放出される（３２０参照）。
【０１１９】
ここで光ファイバーを光ファイバー殺菌消毒装置に配置する際や光ファイバー殺菌消毒装置を設定する際に、横溝を向ける方向を調整することで、紫外線を照射する方向を調節することができる。
【０１２０】
ここで横溝を設ける位置（例えば軸方向にどのような位置にあるか）によっても紫外線の放出位置を調節することができる。従って殺菌照射の用途に応じて最適な位置に縦溝を付けるようにしてもよい。
【０１２１】
例えば、図１４（Ｃ）に示すように縦溝３３２を設ければ３２２付近が紫外線の放出位置となり、また図１４（Ｄ）に示すように縦溝３３４を設ければ３２４付近が紫外線の放出位置となる。
【０１２２】
図１５は、前記光ファイバーのクラッドを、外周に沿って所定の幅で所定の長さだけらせん状に取りさってコアを露出させたらせん状の溝として露出部を形成する場合について説明するための図である。
【０１２３】
同図に示すように、光ファイバー９００のクラッドに光ファイバー外周に沿って、所定の幅ｌ５で所定の長さのらせん上の溝９１０をあける。
【０１２４】
このようにすると、光ファイバー９００のクラッド（外層）９５０にあけられたらせん上の溝９３０からコア（内層）９６０の一部が露出し、露出部分から紫外線が放出されるので殺菌消毒用に使用することができる。しかも光ファイバーの周り３６０度方向に紫外線を照射可能である。
【０１２５】
図１６は、紫外線発生部について説明するための図である。
【０１２６】
紫外線発生部３０は、紫外線光源３２と反射板、反射鏡３４を含む。ここで反射板、反射鏡３４は反射した紫外線が光ファイバーの断面に集光するように設置し、紫外線光源３２から放射される紫外線を反射板、反射鏡３４で光ファイバー２０のほうに誘導する。
【０１２７】
紫外線光源は例えば紫外線ランプ等で構成することができる。
【０１２８】
図１７は接続部について説明するための図である。
【０１２９】
１本または複数の光ファイバー２０−１〜２０−３と紫外線発生部３０との接続部５０にフレキシブルジョイント５２−１〜５２−３を設けるようにしてもよい。このようにすることで、光ファイバー２０−１〜２０−３の角度調節が自由になる。
【０１３０】
図１８は接続部の他の例について説明するための図である。
【０１３１】
１本または複数の光ファイバー２０−１〜２０−５と紫外線発生部３０との接続部５０を曲面にしてもよい。例えば図１８に示すように半球面にしても良いし、全球面（図示せず）にしてもよい。
【０１３２】
このように接続部５０を曲面として形成すると、同時に多方向に光ファイバーを接続させやすい。
【図面の簡単な説明】
【０１３３】
【図１】本実施の形態の足殺菌装置について説明するための図である。
【図２】図２（Ａ）（Ｂ）（Ｃ）は、本実施の形態の足殺菌装置をそれぞれ正面、上、横方向からみた図である。
【図３】図３（Ａ）（Ｂ）は、本実施の形態の足殺菌装置の光ファイバーの配線の一例について説明するための図である。
【図４】図４（Ａ）（Ｂ）は、本実施の形態の足殺菌装置の光ファイバーの配線の一例について説明するための図である。
【図５】図５（Ａ）（Ｂ）は、本実施の形態の足殺菌装置の光ファイバーの配線の一例について説明するための図である。
【図６】図６は、本実施の形態の履物について説明するための図である。
【図７】図７は、本実施の形態の靴下について説明するための図である。
【図８】図８は本実施の形態の足殺菌装置を靴底に埋め込む例を示すケースである。
【図９】図９は本実施の形態の足置きについて説明するための図である。
【図１０】図１０（Ａ）（Ｂ）は本実施の形態の光ファイバーの構成について説明するための図である。
【図１１】図１１（Ａ）（Ｂ）は、光ファイバーのクラッドに穴をあけて露出部を形成する場合について説明するための図である。
【図１２】図１２（Ａ）（Ｂ）は、光ファイバーのクラッドを外周に沿って所定の幅で所定の長さだけ取りさってコアを露出させた横溝として露出部を形成する場合について説明するための図である。
【図１３】横溝の幅と長さ（角度）と紫外線の照射範囲について説明するための図である。
【図１４】図１４（Ａ）〜（Ｄ）は、前記光ファイバーのクラッドを、軸方向に沿って所定の幅で所定の長さだけ取りさってコアを露出させた横溝として露出部を形成する場合について説明するための図である。
【図１５】光ファイバーのクラッドを、外周に沿って所定の幅で所定の長さだけらせん状に取りさってコアを露出させたらせん状の溝として露出部を形成する場合について説明するための図である。
【図１６】紫外線発生部について説明するための図である。
【図１７】接続部について説明するための図である。
【図１８】接続部の他の例について説明するための図である。
【符号の説明】
【０１３４】
２０  光ファイバー
３０  紫外線発生部
３２  紫外線光源
３４  反射板、反射鏡
４０  電源部
５０  接続部
５２−１〜５２−３  フレキシブルジョイント
１００  光ファイバー
１１０  穴
１５０  クラッド
１６０  コア
２００  光ファイバー
２１０  横溝
２５０  クラッド
２６０  コア
３００  光ファイバー
３１０  縦溝
３５０  クラッド
３６０  コア
４００  光ファイバー殺菌消毒装置
４１０  紫外線発生部
４１２  紫外線発生部
４２０−１〜４２０−３  光ファイバー
５００  足殺菌装置
５１０  紫外線発生部（光源部）
５２０  光ファイバー
７００  履物
８００  靴下
９００  足置き
【図６】
0003116840.tif 000003
【図７】
0003116840.tif 000004
【図１０】
0003116840.tif 000005
【図１１】
0003116840.tif 000006
【図１２】
0003116840.tif 000007
【図１３】
0003116840.tif 000008
【図１４】
0003116840.tif 000009
【図１５】
0003116840.tif 000010
【図１６】
0003116840.tif 000011
【図１７】
0003116840.tif 000012
【図１８】
0003116840.tif 000013
【図１】
0003116840.tif 000014
【図２】
0003116840.tif 000015
【図３】
0003116840.tif 000016
【図４】
0003116840.tif 000017
【図５】
0003116840.tif 000018
【図８】
0003116840.tif 000019
【図９】
0003116840.tif 000020